(57)【要約】【課題】ＰＳＴＮに比べ安価なＩＰ網を利用するにあたり、最適な通信設定を行うことでデータエラーまたは通信速度・時間の低下なく通信することが可能なファクシミリ装置およびファクシミリ通信方法を提供する。【解決手段】マルチファンクションコントロール部のＲＯＭにデフォルトデータとして格納しているＰＳＴＮ用パラメータ設定値と、ＩＰ網用に最適化したＩＰ網用パラメータ設定値とをＲＡＭに格納し、ＩＰ網経由のファクシミリ通信を行う際に、パラメータ設定値変更手段はＲＡＭからＩＰ網用パラメータ設定値を取り出し、取り出したＩＰ網用パラメータ設定値をＦＡＸ  Ｍｏｄｅｍに渡し、ＦＡＸ  Ｍｏｄｅｍは受け取ったＩＰ網用パラメータ設定値を用いてＦＡＸ  Ｍｏｄｅｍのパラメータを設定し、ＩＰ網経由のファクシミリ通信を行う。【選択図】図１
2006074485.tif 000002
【特許請求の範囲】
【請求項１】
公衆交換電話網経由のファクシミリ通信およびＩＰ網経由のファクシミリ通信を行うファクシミリ装置において、
前記公衆交換電話網経由のファクシミリ通信に対応して設定した第１の通信パラメータを用いて該ファクシミリ通信を制御するファクシミリ通信制御手段と、
前記第１の通信パラメータおよび前記ＩＰ網経由のファクシミリ通信に対応して設定した第２の通信パラメータを格納する格納手段と、
前記ファクシミリ通信制御手段が前記ＩＰ網経由のファクシミリ通信を行う場合、該ファクシミリ通信制御手段の制御を前記第２の通信パラメータを用いた該ファクシミリ通信に変更するパラメータ変更手段と
を具備することを特徴とするファクシミリ装置。
【請求項２】
前記ファクシミリ通信の使用回線が前記公衆交換電話網であるか前記ＩＰ網であるか判断する使用回線判断手段
を更に具備し、
前記パラメータ変更手段は、
前記使用回線判断手段が前記ＩＰ網を使用と判断した場合、前記ファクシミリ通信制御手段の制御を前記第２の通信パラメータを用いた該ファクシミリ通信に変更する
ことを特徴とする請求項１記載のファクシミリ装置。
【請求項３】
相手先の情報を登録する相手先情報登録手段
を更に具備し、
前記使用回線判断手段は、
ファクシミリ送信する際に、相手先番号、発呼後の識別音または前記相手先情報登録手段に登録された相手先の情報の少なくとも１つに基づいて使用回線を判断し、
ファクシミリ受信する際に、相手先番号、前記相手先情報登録手段に基づいて使用回線を判断する
ことを特徴とする請求項２記載のファクシミリ装置。
【請求項４】
前記使用回線判断手段は、
Ｖ３４プロトコルを利用してスキャンした周波数特性に基づき、使用回線を判断する
ことを特徴とする請求項２記載のファクシミリ装置。
【請求項５】
相手先の情報を登録する相手先情報登録手段
を更に具備し、
前記相手先情報登録手段にＰＳＴＮ経由の番号とＩＰ網経由の番号とか登録されている相手先にファクシミリ送信する場合、該相手先と自局とが同一のＩＰ網事業者である際には、該ＩＰ網経由のファクシミリ送信を行う
ことを特徴とする請求項２記載のファクシミリ装置。
【請求項６】
前記相手先と自局とが同一のＩＰ網事業者である場合、高画質の画像をファクシミリ送信する
ことを特徴とする請求項１記載のファクシミリ装置。
【請求項７】
前記ＩＰ網経由のファクシミリ送信で送信エラーが発生した場合、前記ＰＳＴＮ経由のファクシミリ送信で再送信する
ことを特徴とする請求項１記載のファクシミリ装置。
【請求項８】
付加サービス用の電話番号への着信の有無に基づき、前記ＩＰ網との接続を判断する
ことを特徴とする請求項１記載のファクシミリ装置。
【請求項９】
前記ファクシミリ通信制御手段は、
前記ＩＰ網とＡＤＳＬモデムを介して接続する場合、極性検出を行わない
ことを特徴とする請求項１記載のファクシミリ装置。
【請求項１０】
公衆交換電話網およびＩＰ網と接続するファクシミリ装置のファクシミリ通信方法において、
前記公衆交換電話網経由のファクシミリ通信に対応して設定した第１の通信パラメータを用いて該ファクシミリ通信をファクシミリ通信制御手段により制御し、
前記第１の通信パラメータおよび前記ＩＰ網経由のファクシミリ通信に対応して設定した第２の通信パラメータを保持し、
前記ファクシミリ通信制御手段が前記ＩＰ網経由のファクシミリ通信を行う場合、該ファクシミリ通信制御手段の制御を前記第２の通信パラメータを用いた該ファクシミリ通信にパラメータ変更手段により変更する
ことを特徴とするファクシミリ装置のファクシミリ通信方法。
【請求項１１】
前記ファクシミリ通信の使用回線が前記公衆交換電話網であるか前記ＩＰ網であるか使用回線判断手段により判断し、
前記ＩＰ網を使用と判断した場合、前記ファクシミリ通信制御手段の制御を前記第２の通信パラメータを用いた該ファクシミリ通信に変更する
ことを特徴とする請求項１０記載のファクシミリ装置のファクシミリ通信方法。
【請求項１２】
相手先の情報を登録し、
前記使用回線判断手段は、
ファクシミリ送信する際に、相手先番号、発呼後の識別音または前記相手先の情報の少なくとも１つに基づいて使用回線を判断し、
ファクシミリ受信する際に、相手先番号、前記相手先の情報に基づいて使用回線を判断する
ことを特徴とする請求項１１記載のファクシミリ装置のファクシミリ通信方法。
【請求項１３】
前記使用回線判断手段は、
Ｖ３４プロトコルを利用してスキャンした周波数特性に基づき、使用回線を判断する
ことを特徴とする請求項１１記載のファクシミリ装置のファクシミリ通信方法。
【請求項１４】
相手先の情報を登録し、
前記相手先の情報にＰＳＴＮ経由の番号とＩＰ網経由の番号とか登録されている相手先にファクシミリ送信する場合、該相手先と自局とが同一のＩＰ網事業者である際には、該ＩＰ網経由のファクシミリ送信を行う
ことを特徴とする請求項１１記載のファクシミリ装置のファクシミリ通信方法。
【請求項１５】
前記相手先と自局とが同一のＩＰ網事業者である場合、高画質の画像をファクシミリ送信する
ことを特徴とする請求項１０記載のファクシミリ装置のファクシミリ通信方法。
【請求項１６】
前記ＩＰ網経由のファクシミリ送信で送信エラーが発生した場合、前記ＰＳＴＮ経由のファクシミリ送信で再送信する
ことを特徴とする請求項１０記載のファクシミリ装置のファクシミリ通信方法。
【請求項１７】
付加サービス用の電話番号への着信の有無に基づき、前記ＩＰ網との接続を判断する
ことを特徴とする請求項１０記載のファクシミリ装置のファクシミリ通信方法。
【請求項１８】
前記ファクシミリ通信制御手段は、
前記ＩＰ網とＡＤＳＬモデムを介して接続する場合、極性検出を行わない
ことを特徴とする請求項１０記載のファクシミリ装置のファクシミリ通信方法。
【発明の詳細な説明】
【技術分野】
【０００１】
本発明は、ファクシミリ装置およびファクシミリ通信方法に関し、特に、ＩＰ網を使用した通信を行うファクシミリ通信とを行うファクシミリ装置およびファクシミリ通信方法に関する。
【背景技術】
【０００２】
従来、ファクシミリ通信はＰＳＴＮ（公衆交換電話網：例えば、アナログ網またはＩＳＤＮ）で行ってきたが、最近では、端末と交換局間は従来のＰＳＴＮを使用し、交換局からゲートウェイを通じてＩＰディジタル網（以後、ＩＰ網と称する）を使用するＩＰ電話が普及していることから、ＩＰディジタル網を介してファクシミリ通信を行うファクシミリ装置が登場している。
【０００３】
現状は、ＩＰ網を使用したファクシミリ通信といっても、アナログＧ３信号をディジタル変換するだけなので、通信料以外の利点は特に無い。しかし、今後はＩＰ電話ならではの特性を利用した新機能・新サービスに対応し、より使い易いファクシミリ装置が登場する可能性がある。
【０００４】
例えば、ＩＰ網における信号の遅延を見込んだファクシミリ通信を行うことで、ＩＰ網の遅延を回避し通信エラーなく確実にファクシミリ通信を行うことができるファクシミリ通信システム、およびファクシミリ通信システムの制御方法がある（例えば、特許文献１参照。）。
【０００５】
また、例えば、公衆網ファクシミリ規格に適合するように、ファクシミリパケットの送信制御を行なうようにしたファクシミリ装置、ファクシミリ通信方法及びファクシミリ通信プログラムがある（例えば、特許文献２参照。）。
【特許文献１】特開２００３−８７４８９号公報
【特許文献２】特開２００３−１２５１５２号公報
【発明の開示】
【発明が解決しようとする課題】
【０００６】
しかし、ＩＰ網を使用したファクシミリ通信では、ＩＰ網内でパケット欠落またはジッタ等が発生することで、ファックス情報が無くなり、画情報が正確に伝わらないという問題があり、上記特許文献１に記載の技術および上記特許文献２に記載の技術では、このような問題を解決することは困難である。
【０００７】
そこで、本発明は、ＰＳＴＮに比べ安価なＩＰ網を利用するにあたり、通信速度だけで無くイコライザ・通信モード・送出レベル・シンボルレート・タイマー設定値といった最適な通信設定を行うことでデータエラーまたは通信速度・時間の低下なく通信することが可能なファクシミリ装置およびファクシミリ通信方法を提供することを目的とする。
【課題を解決するための手段】
【０００８】
上記目的を達成するため、請求項１の発明は、公衆交換電話網経由のファクシミリ通信およびＩＰ網経由のファクシミリ通信を行うファクシミリ装置において、前記公衆交換電話網経由のファクシミリ通信に対応して設定した第１の通信パラメータを用いて該ファクシミリ通信を制御するファクシミリ通信制御手段と、前記第１の通信パラメータおよび前記ＩＰ網経由のファクシミリ通信に対応して設定した第２の通信パラメータを格納する格納手段と、前記ファクシミリ通信制御手段が前記ＩＰ網経由のファクシミリ通信を行う場合、該ファクシミリ通信制御手段の制御を前記第２の通信パラメータを用いた該ファクシミリ通信に変更するパラメータ変更手段とを具備することを特徴とする。
【０００９】
また、請求項２の発明は、請求項１の発明において、前記ファクシミリ通信の使用回線が前記公衆交換電話網であるか前記ＩＰ網であるか判断する使用回線判断手段を更に具備し、前記パラメータ変更手段は、前記使用回線判断手段が前記ＩＰ網を使用と判断した場合、前記ファクシミリ通信制御手段の制御を前記第２の通信パラメータを用いた該ファクシミリ通信に変更することを特徴とする。
【００１０】
また、請求項３の発明は、請求項２の発明において、相手先の情報を登録する相手先情報登録手段を更に具備し、前記使用回線判断手段は、ファクシミリ送信する際に、相手先番号、発呼後の識別音または前記相手先情報登録手段に登録された相手先の情報の少なくとも１つに基づいて使用回線を判断し、ファクシミリ受信する際に、相手先番号、前記相手先情報登録手段に基づいて使用回線を判断することを特徴とする。
【００１１】
また、請求項４の発明は、請求項２の発明において、前記使用回線判断手段は、Ｖ３４プロトコルを利用してスキャンした周波数特性に基づき、使用回線を判断することを特徴とする。
【００１２】
また、請求項５の発明は、請求項２の発明において、相手先の情報を登録する相手先情報登録手段を更に具備し、前記相手先情報登録手段にＰＳＴＮ経由の番号とＩＰ網経由の番号とか登録されている相手先にファクシミリ送信する場合、該相手先と自局とが同一のＩＰ網事業者である際には、該ＩＰ網経由のファクシミリ送信を行うことを特徴とする。
【００１３】
また、請求項６の発明は、請求項１の発明において、前記相手先と自局とが同一のＩＰ網事業者である場合、高画質の画像をファクシミリ送信することを特徴とする。
【００１４】
また、請求項７の発明は、請求項１の発明において、前記ＩＰ網経由のファクシミリ送信で送信エラーが発生した場合、前記ＰＳＴＮ経由のファクシミリ送信で再送信することを特徴とする。
【００１５】
また、請求項８の発明は、請求項１の発明において、付加サービス用の電話番号への着信の有無に基づき、前記ＩＰ網との接続を判断することを特徴とする。
【００１６】
また、請求項９の発明は、請求項１の発明において、前記ファクシミリ通信制御手段は、前記ＩＰ網とＡＤＳＬモデムを介して接続する場合、極性検出を行わないことを特徴とする。
【００１７】
また、請求項１０の発明は、公衆交換電話網およびＩＰ網と接続するファクシミリ装置のファクシミリ通信方法において、前記公衆交換電話網経由のファクシミリ通信に対応して設定した第１の通信パラメータを用いて該ファクシミリ通信をファクシミリ通信制御手段により制御し、前記第１の通信パラメータおよび前記ＩＰ網経由のファクシミリ通信に対応して設定した第２の通信パラメータを保持し、前記ファクシミリ通信制御手段が前記ＩＰ網経由のファクシミリ通信を行う場合、該ファクシミリ通信制御手段の制御を前記第２の通信パラメータを用いた該ファクシミリ通信にパラメータ変更手段により変更することを特徴とする。
【００１８】
また、請求項１１の発明は、請求項１０の発明において、前記ファクシミリ通信の使用回線が前記公衆交換電話網であるか前記ＩＰ網であるか使用回線判断手段により判断し、前記ＩＰ網を使用と判断した場合、前記ファクシミリ通信制御手段の制御を前記第２の通信パラメータを用いた該ファクシミリ通信に変更することを特徴とする。
【００１９】
また、請求項１２の発明は、請求項１１の発明において、相手先の情報を登録し、前記使用回線判断手段は、ファクシミリ送信する際に、相手先番号、発呼後の識別音または前記相手先の情報の少なくとも１つに基づいて使用回線を判断し、ファクシミリ受信する際に、相手先番号、前記相手先の情報に基づいて使用回線を判断することを特徴とする。
【００２０】
また、請求項１３の発明は、請求項１１の発明において、前記使用回線判断手段は、Ｖ３４プロトコルを利用してスキャンした周波数特性に基づき、使用回線を判断することを特徴とする。
【００２１】
また、請求項１４の発明は、請求項１１の発明において、相手先の情報を登録し、前記相手先の情報にＰＳＴＮ経由の番号とＩＰ網経由の番号とか登録されている相手先にファクシミリ送信する場合、該相手先と自局とが同一のＩＰ網事業者である際には、該ＩＰ網経由のファクシミリ送信を行うことを特徴とする。
【００２２】
また、請求項１５の発明は、請求項１０の発明において、前記相手先と自局とが同一のＩＰ網事業者である場合、高画質の画像をファクシミリ送信することを特徴とする。
【００２３】
また、請求項１６の発明は、請求項１０の発明において、前記ＩＰ網経由のファクシミリ送信で送信エラーが発生した場合、前記ＰＳＴＮ経由のファクシミリ送信で再送信することを特徴とする。
【００２４】
また、請求項１７の発明は、請求項１０の発明において、付加サービス用の電話番号への着信の有無に基づき、前記ＩＰ網との接続を判断することを特徴とする。
【００２５】
また、請求項１８の発明は、請求項１０の発明において、前記ファクシミリ通信制御手段は、前記ＩＰ網とＡＤＳＬモデムを介して接続する場合、極性検出を行わないことを特徴とする。
【発明の効果】
【００２６】
本発明によれば、ＰＳＴＮに比べ安価なＩＰ網を利用するにあたり、最適な通信設定を行うことでデータエラーまたは通信速度・時間の低下なく通信することが可能になるという効果を奏する。
【発明を実施するための最良の形態】
【００２７】
以下、本発明に係るファクシミリ装置およびファクシミリ通信方法の一実施の形態について、添付図面を参照して詳細に説明する。
【００２８】
図１は、本発明を適用した複合機装置（以後、マルチファンクション装置と称する）の構成例を示した図である。
【００２９】
図１に示すように、マルチファンクション装置１はマルチファンクションコントロール部２とプリンタモジュール部３とスキャナモジュール部４とファクシミリモジュール部５とを具備して構成され、プリンタモジュール部３、スキャナモジュール部４およびファクシミリモジュール部５は、インターフェース（以後、Ｉ／Ｆと称する）６によってマルチファンクションコントロール部２と接続されている。
【００３０】
マルチファンクションコントロール部２は、プリンタモジュール部３・スキャナモジュール部４・ファクシミリモジュール部５の各モジュール部を効率良く制御する。具体的には、制御用のＣＰＵ７と、ＣＰＵ７の動作プログラムを記憶するＲＯＭ８／ＲＡＭ９と、入出力用データを格納するデータ蓄積用メモリ１０とを具備して構成され、これらはシステムバス１１によって相互に接続している。
【００３１】
プリンタモジュール部３は、マルチファンクションコントロール部２のデータ蓄積用メモリ１０に蓄積されたデータを用紙に印刷する。
【００３２】
スキャナモジュール部４は、原稿を光学的に読み取り、読み取ったデータはマルチファンクションコントロール部２のデータ蓄積用メモリ１０に蓄積する。
【００３３】
ファクシミリモジュール部５は、ファクシミリモジュール部５を制御するＣＰＵ１２と、ＣＰＵ１２の動作プログラムを記憶するＲＯＭ１３／ＲＡＭ１４と、アナログ音声信号とパケットとのＣｏｄｅ／Ｄｅｃｏｄｅ機能を有するＩＰ電話対応のＡＤＳＬ  Ｍｏｄｅｍ１５を介してＰＳＴＮと接続し、ＰＳＴＮ経由のデータの送受信を行う網制御部１６と、ＰＳＴＮ経由で受信したデータの復号化、スキャナモジュール部４で読み取ったデータの符号化、およびデータの解像度変換を行うＣｏｄｅｃ／解像度変換部１７と、Ｃｏｄｅｃ／解像度変換部１７で符号化したデータをＰＳＴＮを介してファクシミリ送信するＦＡＸ  Ｍｏｄｅｍ１８とを具備して構成され、これらはシステムバス１９によって相互に接続している。
【００３４】
なお、ＦＡＸ  Ｍｏｄｅｍ１８のイコライザ・送出レベル・通信スピード・通信モード・シンボルレート・タイマー等（以後、パラメータと称する）の通信時の設定値をマルチファンクションコントロール部２のＲＯＭ８にデフォルトデータとして格納し、ユーザ変更を加えたパラメータの設定値としてファクシミリモジュール部５のＲＡＭ１４に格納している。通信時に、ＦＡＸ  Ｍｏｄｅｍ１８はファクシミリモジュール部５のＲＡＭ１４に格納しているパラメータ設定値を用いてパラメータを設定する。
【実施例１】
【００３５】
図２は、実施例１におけるファクシミリモジュール部５の機能的な構成の一例を示すブロック図である。
【００３６】
図２に示すように、ＣＰＵ１２は、機能として、ＩＰ網経由のファクシミリ通信時にＦＡＸ  Ｍｏｄｅｍ１８のパラメータをＩＰ網用に最適化したパラメータ設定値に変更するパラメータ設定値変更手段２０を有する。
【００３７】
通常、ファクシミリ装置には、通信時のトラブル回避手段として、ＣＥ（Ｃｕｓｔｏｍｅｒ  Ｅｎｇｉｎｅｅｒ）が調整可能なパラメータ設定値が存在しているので、トラブル時の調整用に用意されているこれらのパラメータ設定値をＩＰ網用に最適化している。従って、図２に示すように、マルチファンクションコントロール部２のＲＯＭにデフォルトデータとして格納しているＰＳＴＮ用パラメータ設定値２１と、ＩＰ網用に最適化したＩＰ網用パラメータ設定値２２とをＲＡＭ１４に格納し、ＩＰ網経由のファクシミリ通信を行う際に、パラメータ設定値変更手段２０はＲＡＭ１４からＩＰ網用パラメータ設定値２２を取り出し、取り出したＩＰ網用パラメータ設定値２２をＦＡＸ  Ｍｏｄｅｍ１８に渡し、ＦＡＸ  Ｍｏｄｅｍ１８は受け取ったＩＰ網用パラメータ設定値２２を用いてパラメータを設定し、ＩＰ網経由のファクシミリ通信を行う。
【００３８】
次に、実施例１におけるマルチファンクション装置１が行うＩＰ網経由のファクシミリ送信の処理手順について図３に示すフローチャートを参照して説明する。
【００３９】
原稿をスキャンし（ステップＳ３０１）、スキャンデータをデータ蓄積用メモリに蓄積し（ステップＳ３０２）、ＦＡＸ  ＭｏｄｅｍのパラメータをＩＰ網用パラメータ設定値に変更し（ステップＳ３０３）、ファクシミリ送信を行い（ステップＳ３０４）、ファクシミリ送信の処理手順を終了する。
【００４０】
次に、実施例１におけるマルチファンクション装置１が行うＩＰ網経由のファクシミリ受信の処理手順について図４に示すフローチャートを参照して説明する。
【００４１】
ファクシミリ受信を行い（ステップＳ４０１）、ＦＡＸ  ＭｏｄｅｍのパラメータをＩＰ網用パラメータ設定値に変更し（ステップＳ４０２）、受信データをデータ蓄積用メモリに蓄積し（ステップＳ４０３）、受信データを印刷し（ステップＳ４０４）、ファクシミリ受信の処理手順を終了する。
【実施例２】
【００４２】
図５は、実施例２におけるマルチファンクション装置１の機能的な構成の一例を示すブロック図である。
【００４３】
図５に示すように、ファクシミリモジュール部５のＣＰＵ１２は、機能として、ＰＳＴＮ経由のファクシミリ通信かＩＰ網経由のファクシミリ通信かを判断する使用回線判断手段２３、使用回線判断手段２３がＩＰ網経由のファクシミリ通信であると判断した場合、ＦＡＸ  Ｍｏｄｅｍ１８のパラメータをＩＰ網用に最適化したパラメータ設定値に変更するパラメータ設定値変更手段２０を有する。
【００４４】
マルチファンクションコントロール部２のＲＡＭ８は、電子電話帳２４を記憶し、この電子電話帳２４には、送信先の情報として、ＰＳＴＮ用ＦＡＸ番号およびＩＰ網用ＦＡＸ番号等が登録されており、ファクシミリ送信時にどちらのＦＡＸ番号を優先するかの指定等が登録されている。なお、相手先によってはどちらかの片方のＦＡＸ番号しか登録されていない、優先するＦＡＸ番号が指定されていないこともある。また、本実施例では、マルチファンクションコントロール部２のＲＡＭ８に電子電話帳２４を記憶する構成であるが、ファクシミリモジュール部５のＲＡＭ１４に電子電話帳２４を記憶する構成も適用可能である。
【００４５】
通常、ファクシミリ装置には、通信時のトラブル回避手段として、ＣＥ（Ｃｕｓｔｏｍｅｒ  Ｅｎｇｉｎｅｅｒ）が調整可能なパラメータ設定値が存在しているので、トラブル時の調整用に用意されているこれらのパラメータ設定値をＩＰ網用に最適化している。従って、図５に示すように、マルチファンクションコントロール部２のＲＯＭ８にデフォルトデータとして格納しているＰＳＴＮ用パラメータ設定値２１と、ＩＰ網用に最適化したＩＰ網用パラメータ設定値２２とをＲＡＭ１４に格納している。
【００４６】
ＡＤＳＬ  Ｍｏｄｅｍ１５を介してＰＳＴＮに接続するファクシミリ装置は、使用回線をＰＳＴＮかＩＰ網か選択可能であるため、使用回線判断手段２３が選択した使用回線を判断し、ＩＰ網経由のファクシミリ通信であると判断した場合、パラメータ設定値変更手段２０はＲＡＭ１４からＩＰ網用パラメータ設定値２２を取り出し、取り出したＩＰ網用パラメータ設定値２２をＦＡＸ  Ｍｏｄｅｍ１８に渡し、ＦＡＸ  Ｍｏｄｅｍ１８は受け取ったＩＰ網用パラメータ設定値２２を用いてパラメータを設定し、ＩＰ網経由のファクシミリ通信を行う。なお、ＰＳＴＮ経由のファクシミリ通信の場合は、ＦＡＸ  Ｍｏｄｅｍ１８はデフォルトデータとして格納しているＰＳＴＮ用パラメータ設定値２１を用いてパラメータを設定するので、パラメータ設定値変更手段２０は動作を行わない。
【００４７】
次に、実施例２におけるマルチファンクション装置１が行うファクシミリ送信の処理手順について図６に示すフローチャートを参照して説明する。
【００４８】
原稿をスキャンし（ステップＳ６０１）、スキャンデータをデータ蓄積用メモリに蓄積し（ステップＳ６０２）、使用回線を判断する（ステップＳ６０３）。
【００４９】
ＩＰ網経由であると判断した場合（ステップＳ６０４でＹＥＳ）、ＦＡＸ  ＭｏｄｅｍのパラメータをＩＰ網用パラメータ設定値に変更し（ステップＳ６０５）、ステップＳ６０６に進む。
【００５０】
ＰＳＴＮ経由であると判断した場合（ステップＳ６０４でＮＯ）、ステップＳ６０６に進む。
【００５１】
ファクシミリ送信を行い（ステップＳ６０６）、ファクシミリ送信の処理手順を終了する。
【００５２】
なお、ファクシミリ送信時における使用回線判断手段２３の使用回線の判断は、例えば、ダイヤルの「００００」の有無に基づく判断（この場合、「００００」有りがＰＳＴＮ経由、「００００」無しがＩＰ網経由と判断）、ダイヤルの「０５０」の有無に基づく判断（この場合、「０５０」無しがＰＳＴＮ経由、「０５０」有りがＩＰ網経由と判断）、ダイヤル後の識別音（ププププ）の有無に基づく判断（この場合、識別音無しがＰＳＴＮ経由、識別音有りがＩＰ網経由と判断）、電子電話帳２４の登録に基づく判断、Ｖ３４プロトコル準拠のスーパーＧ３時に実施するプローピング（２００Ｈｚ〜４ｋＨｚ間の周波数特性のスキャン）で得られるデータに基づく判断等がある。
【００５３】
次に、実施例２におけるマルチファンクション装置１が行うファクシミリ受信の処理手順について図７に示すフローチャートを参照して説明する。
【００５４】
ファクシミリ受信を行い（ステップＳ７０１）、使用回線を判断する（ステップＳ７０２）。
【００５５】
ＩＰ網経由であると判断した場合（ステップＳ７０３でＹＥＳ）、ＦＡＸ  ＭｏｄｅｍのパラメータをＩＰ網用パラメータ設定値に変更し（ステップＳ７０４）、ステップＳ７０５に進む。
【００５６】
ＰＳＴＮ経由であると判断した場合（ステップＳ７０３でＮＯ）、ステップＳ７０５に進む。
【００５７】
受信データをデータ蓄積用メモリに蓄積し（ステップＳ７０５）、受信データを印刷し（ステップＳ７０６）、ファクシミリ受信の処理手順を終了する。
【００５８】
なお、ファクシミリ受信時における使用回線判断手段２３の使用回線の判断は、例えば、発呼者番号通知サービスからのＦＡＸ番号の「０５０」の有無に基づく判断（この場合、「０５０」無しがＰＳＴＮ経由、「０５０」有りがＩＰ網経由と判断）、発呼者番号通知サービスからのＦＡＸ番号を利用して電子電話帳２４の登録に基づく判断、、Ｖ３４プロトコル準拠のスーパーＧ３時に実施するプローピング（２００Ｈｚ〜４ｋＨｚ間の周波数特性のスキャン）で得られるデータに基づく判断等がある。
【００５９】
更に、電子電話帳２４に登録されているＦＡＸ番号を使用してファクシミリ送信する際に、ファクシミリモジュール部５のＣＰＵ１２は電子電話帳２４に送信先のＦＡＸ番号としてＰＳＴＮ用ＦＡＸ番号とＩＰ網用ＦＡＸ番号との両方が登録され、特に優先するＦＡＸ番号が指定されていない場合、事業者固有番号を示すＩＰ網用ＦＡＸ番号の「０５０」の後４桁の番号に基づき、送信先と自局とが同一の事業者であると判断した場合、ＩＰ網用ＦＡＸ番号を優先する。
【００６０】
次に、実施例２におけるマルチファンクション装置１が行う電子電話帳２４を利用したファクシミリ送信の処理手順について図８に示すフローチャートを参照して説明する。
【００６１】
電子電話帳を確認する（ステップＳ８０１）。
【００６２】
ＩＰ網用ＦＡＸ番号が登録されている場合（ステップＳ８０２でＹＥＳ）、同一事業者であるか否か確認する（ステップＳ８０３）。
【００６３】
同一事業者である場合（ステップＳ８０３でＹＥＳ）、ＩＰ網用ＦＡＸ番号にファクシミリ送信を行い（ステップＳ８０４）、ファクシミリ送信の処理手順を終了する。
【００６４】
ステップＳ８０２において、ＩＰ網用ＦＡＸ番号が登録されていない場合（ステップＳ８０２でＮＯ）、またはステップＳ８０３において、同一事業者ではない場合（ステップＳ８０３でＮＯ）、ＰＳＴＮ用ＦＡＸ番号にファクシミリ送信を行い（ステップＳ８０５）、ファクシミリ送信の処理手順を終了する。
【００６５】
更に、ＩＰ網経由のファクシミリ送信を行う際に、事業者固有番号を示すＩＰ網用ＦＡＸ番号の「０５０」の後４桁の番号に基づき、送信先と自局とが同一の事業者であると判断した場合、ファクシミリモジュール部５のＣＰＵ１２はスキャナモジュール部３に対して高解像度で原稿をスキャンするように指示する。
【００６６】
次に、実施例２におけるマルチファンクション装置１が行うＩＰ網経由のファクシミリ送信の処理手順について図９に示すフローチャートを参照して説明する。
【００６７】
ＩＰ網経由でファクシミリ送信するか否か確認する（ステップＳ９０１）。
【００６８】
ＩＰ網経由でファクシミリ送信する場合（ステップＳ９０１でＹＥＳ）、同一事業者であるか否か確認する（ステップＳ９０２）。
【００６９】
同一事業者である場合（ステップＳ９０２でＹＥＳ）、高解像度で原稿をスキャンし（ステップＳ９０３）、スキャンデータをデータ蓄積用メモリに蓄積し（ステップＳ９０４）、ＩＰ網用パラメータ設定値に変更し（ステップＳ９０５）、ステップＳ９０８に進む。
【００７０】
ステップＳ９０１において、ＩＰ網経由でファクシミリ送信しない場合（ステップＳ９０１でＮＯ）、またはステップＳ９０２において、同一事業者ではない場合（ステップＳ９０２でＮＯ）、デフォルトの解像度で原稿をスキャンし（ステップＳ９０６）、スキャンデータをデータ蓄積用メモリに蓄積し（ステップＳ９０７）、ステップＳ９０８に進む。
【００７１】
ファクシミリ送信を行い（ステップＳ９０８）、ファクシミリ送信の処理手順を終了する。
【００７２】
更に、ＩＰ網経由のファクシミリ送信を行う際に、エラーライン数が許容値（例えば、１ページ中に５ライン発生）を超え、ＰＳＴＮ用ＦＡＸ番号が電子電話帳２４に登録されている場合はそのＰＳＴＮ用ＦＡＸ番号に自動的に再送する。
【００７３】
次に、実施例２におけるマルチファンクション装置１が行うＩＰ網経由のファクシミリ送信の処理手順について図１０に示すフローチャートを参照して説明する。
【００７４】
ＩＰ網経由のファクシミリ送信を行い（ステップＳ１００１）、エラーライン発生の有無を確認する（ステップＳ１００２）。ここで、エラーラインが発生していない場合（ステップＳ１００２でＮＯ）、ファクシミリ送信の処理手順を終了する。
【００７５】
エラーラインが発生している場合（ステップＳ１００２でＹＥＳ）、エラーライン数が許容値を超えているか否か確認する（ステップＳ１００３）。ここで、エラーライン数が許容値を超えていない場合（ステップＳ１００３でＮＯ）、ファクシミリ送信の処理手順を終了する。
【００７６】
エラーライン数が許容値を超えている場合（ステップＳ１００３でＹＥＳ）、電子電話帳にＰＳＴＮ用ＦＡＸ番号が登録されているか否か確認する（ステップＳ１００４）。
【００７７】
ＰＳＴＮ用ＦＡＸ番号が登録されている場合（ステップＳ１００５でＹＥＳ）、ＰＳＴＮ用ＦＡＸ番号にファクシミリ再送信を行い（ステップＳ１００６）、ファクシミリ送信の処理手順を終了する。
【００７８】
ＰＳＴＮ用ＦＡＸ番号が登録されていない場合（ステップＳ１００５でＮＯ）、用再送信のメッセージを出力し（ステップＳ１００７）、ファクシミリ送信の処理手順を終了する。
【００７９】
更に、ファクシミリ通信の初期設定時若しくは初期立ち上げ時に、自動的に「１１７」（若しくは、「１７７」）等の音声サービス番号にダイヤルし、ビジートーンを検出した際にはＩＰ網接続と判断し、ビジートーンを検出しなかった際にはＰＳＴＮ接続と判断する。
【００８０】
次に、実施例２におけるマルチファンクション装置１が行うファクシミリ通信の初期設定の処理手順について図１１に示すフローチャートを参照して説明する。
【００８１】
回線を閉結し（ステップＳ１１０１）、ダイヤルトーンの有無を確認する（ステップＳ１１０２）。
【００８２】
ダイヤルトーンが検出されない場合（ステップＳ１１０２でＮＯ）、回線接続トラブルと判断し（ステップＳ１１０３）、初期設定の処理手順を終了する。
【００８３】
ダイヤルトーンが検出された場合（ステップＳ１１０２でＹＥＳ）、「１１７」にダイヤルし（ステップＳ１１０４）、ビジートーンの有無を確認する（ステップＳ１１０５）。
【００８４】
ビジートーンが検出された場合（ステップＳ１１０５でＹＥＳ）、ダイヤル方式を変更して「１１７」にダイヤルし（ステップＳ１１０６）、ビジートーンの有無を確認する（ステップＳ１１０７）。
【００８５】
ビジートーンが検出された場合（ステップＳ１１０７でＹＥＳ）、ＩＰ網接続と判断し（ステップＳ１１０８）、初期設定の処理手順を終了する。
【００８６】
ステップＳ１１０５において、ビジートーンを検出した場合（ステップＳ１１０５でＮＯ）、またはステップＳ１１０７において、ビジートーンを検出した場合（ステップＳ１１０７でＮＯ）、ＰＳＴＮ接続と判断し（ステップＳ１１０９）、初期設定の処理手順を終了する。
【００８７】
更に、ＩＰ網経由のファクシミリ通信の場合、ＡＤＳＬ  Ｍｏｄｅｍ１５では極性がでない可能性があるため、ＦＡＸ  Ｍｏｄｅｍ１８は自動的に極性検出を行わない。
【００８８】
なお、本発明は、ファクシミリ装置に限定する必要は無く、従来はアナログ通信を行っていて、新たにＩＰ網に乗り入れる端末（例えば、データモデム等）も適用可能である。
【図面の簡単な説明】
【００８９】
【図１】本発明を適用した複合機装置の構成例を示した図である。
【図２】実施例１におけるファクシミリモジュール部５の機能的な構成の一例を示すブロック図である。
【図３】実施例１におけるマルチファンクション装置１が行うＩＰ網経由のファクシミリ送信の処理手順を示すフローチャートである。
【図４】実施例１におけるマルチファンクション装置１が行うＩＰ網経由のファクシミリ受信の処理手順を示すフローチャートである。
【図５】実施例２におけるマルチファンクション装置１の機能的な構成の一例を示すブロック図である。
【図６】実施例２におけるマルチファンクション装置１が行うファクシミリ送信の処理手順を示すフローチャートである。
【図７】実施例２におけるマルチファンクション装置１が行うファクシミリ受信の処理手順を示すフローチャートである。
【図８】実施例２におけるマルチファンクション装置１が行う電子電話帳２４を利用したファクシミリ送信の処理手順を示すフローチャートである。
【図９】実施例２におけるマルチファンクション装置１が行うＩＰ網経由のファクシミリ送信の処理手順を示すフローチャートである。
【図１０】実施例２におけるマルチファンクション装置１が行うＩＰ網経由のファクシミリ送信の処理手順を示すフローチャートである。
【図１１】実施例２におけるマルチファンクション装置１が行うファクシミリ通信の初期設定の処理手順を示すフローチャートである。
【符号の説明】
【００９０】
１    マルチファンクション装置
２    マルチファンクションコントロール部
３    プリンタモジュール部
４    スキャナモジュール部
５    ファクシミリモジュール部
６    Ｉ／Ｆ
７    ＣＰＵ
８    ＲＯＭ
９    ＲＡＭ
１０    データ蓄積用メモリ
１１    システムバス
１２    ＣＰＵ
１３    ＲＯＭ
１４    ＲＡＭ
１５    ＡＤＳＬ  Ｍｏｄｅｍ
１６    網制御部
１７    Ｃｏｄｅｃ／解像度変換部
１８    ＦＡＸ  Ｍｏｄｅｍ
１９    システムバス
２０    パラメータ設定値変更手段
２１    ＰＳＴＮ用パラメータ設定値
２２    ＩＰ網用パラメータ設定値
２３    使用回線判断手段
２４    電子電話帳
【図１】
2006074485.tif 000003
【図２】
2006074485.tif 000004
【図３】
2006074485.tif 000005
【図４】
2006074485.tif 000006
【図５】
2006074485.tif 000007
【図６】
2006074485.tif 000008
【図７】
2006074485.tif 000009
【図８】
2006074485.tif 000010
【図９】
2006074485.tif 000011
【図１０】
2006074485.tif 000012
【図１１】
2006074485.tif 000013